(57)【特許請求の範囲】
【請求項１】
室内機において、この室内機に具備されたアクチュエータやセンサの動作を制御する本体制御手段と、前記本体制御手段の制御情報をリモコン送信する本体信号送信手段と、外部からの制御信号を受信する本体信号受信手段をと有し、前記室内機を遠隔操作可能なリモコンには、運転条件の設定を行い制御情報を出力するリモコン制御手段と、前記リモコン制御手段の出力を室内機側に送信するリモコン信号送信手段と、前記室内機から送信される信号を受信するリモコン信号受信手段とを有し、前記室内機と前記リモコンにそれぞれ具備されたリモコン信号送信手段及びリモコン信号受信手段との間で双方向通信を行う空気調和機において、前記リモコンから前記室内機に信号が送信されたとき、一定時間待機させるタイマを前記本体制御手段に設けたことを特徴とする空気調和機。
【請求項２】
本体制御用マイコンにリモコンから信号を受信したとき、少なくともリモコンからの信号を受信終了するまで、待機させるタイマを設けたことを特徴とする請求項１記載の空気調和機。
【請求項３】
本体制御用マイコンにリモコン信号受信用受光素子がリモコン信号送信用発光素子から信号を送信後、性能上支障なく動作する電源電圧に回復するまでの予め設定された所定時間、本体信号送信用発光素子から信号を送信するのを待機させるタイマを設けたことを特徴とする請求項１記載の空気調和機。
【発明の詳細な説明】
【０００１】
【発明の属する技術分野】
本発明は、空気調和機とリモコンの通信制御に関するものである。
【０００２】
【従来の技術】
従来の技術を図３と図４を用いて説明する。
【０００３】
図３はエアコンの室内機とリモコンのブロック図である。図中１はエアコンの室内機本体であり、本体制御用マイコン１ａ、本体信号送信用発光素子１ｂ、本体信号受信用受光素子１ｃを有している。
【０００４】
また２はリモコンであり、リモコン制御用マイコン２ａ、リモコン信号送信用発光素子２ｂ、リモコン信号受信用受光素子２ｃを有している。
【０００５】
図中３はリモコン制御用マイコン２ａの指示によりリモコン信号送信用発光素子２ｂから送信される信号である。また、４は本体制御用マイコン１ａの指示により本体信号送信用発光素子１ｂから送信する信号である。
【０００６】
このような構成で、リモコン信号送信用発光素子２ｂから送信された信号を本体信号受信用受光素子１ｃが受信し、この受信した信号３に基づいた制御を行い、その後本体信号送信用発光素子１ｂからリモコン信号受信用受光素子２ｃに信号４を送信するという双方向の通信を行う。
【０００７】
次に、このような空気調和機の本体制御用マイコン１ａでの制御について図４のフローチャートを用いて説明する。
【０００８】
本体制御用マイコン１ａはリモコン信号送信用発光素子２ｂから本体信号受信用受光素子１ｃへ送信した信号３を受信したかを判定する（ステップ５）。
【０００９】
Ｙｅｓの場合、本体信号送信用発光素子１ｂよりリモコン信号受信用受光素子２ｃへの信号４の送信開始処理（ステップ６）を即時実行する。一方、Ｎｏの場合、本体信号送信用発光素子１ｂよりリモコン信号受信用受光素子２ｃへの信号４の送信開始処理６を本体制御用マイコン１ａは送信開始処理を実行しない。
【００１０】
【発明が解決しようとする課題】
しかしながら、上記の制御方法では、リモコンから本体に送信される信号の送信完了と、本体からリモコンへ送信する信号の送信開始との間隔に時間差が少ないため、リモコンから送信される信号が全て受信する前に本体がリモコンに送信を開始してしまい、リモコンから送信される信号と本体からリモコンに送信する信号が混信し、リモコンが本体から送信する信号を正常に受信できない場合があるという課題を有していた。
【００１１】
さらに、リモコンにおいては信号を送信しているために電源電圧が低下してしまい、リモコンの受光素子に供給される電源電圧が低下し、本来発揮できる受信性能を充分に発揮できなくなるため、信号を受信できる範囲が狭くなり、リモコンの使用できる範囲が狭くなるという課題を有していた。
【００１２】
上記課題に鑑み、本発明は、リモコンから本体に送信される信号と本体からリモコンへ送信する信号の混信対策を行うことを目的とするものである。
【００１３】
また、リモコンの受信性能を高めることで本体から送信する信号を広範囲で受信できるようにすることを目的とするものである。
【００１４】
【課題を解決するための手段】
上記目的を達成させるために、本発明は、本体がリモコンからの信号を受信したとき、一定時間待機した後、本体からリモコンへ信号の送信を開始するというものである。
【００１５】
上記手段を用いることで、リモコンから本体へ送信される信号の送信完了と本体からリモコンへ送信する信号の送信開始との間隔に時間差が生じ、リモコンから本体に送信される信号と本体からリモコンに送信する信号の混信を防止できる。
【００１６】
さらに、リモコンにおいては信号を送信した後に一定時間が経過するため、電源電圧が回復し、リモコンの受光素子の受信性能を充分に発揮することができるので、リモコンを使用できる範囲を広範囲にすることができる。
【００１７】
【発明の実施の形態】
上記目的を達成させるために、本発明は、本体がリモコンからの信号を受信したとき、本体からリモコンへ信号の送信を開始するまで、一定時間待機するために用いる時間計測用タイマを設け、このタイマにより一定時間待機した後、本体からリモコンへ信号の送信を開始するというものである。
【００１８】
上記手段を用いることで、リモコンから本体へ送信される信号の送信完了と本体からリモコンへ送信する信号の送信開始との間隔に時間差が設けることができ、リモコンから本体に送信される信号と本体からリモコンに送信する信号の混信を防止できる。
【００１９】
さらに、リモコンにおいては信号を送信した後に一定時間待機するため、低下していた電源電圧が回復するため、リモコンの受光素子の受信性能を充分に発揮することができ、リモコンを使用できる範囲を広範囲にすることができる
以下に図１と図２を用いて本発明の実施の形態について説明する。
【００２０】
図１はエアコン室内機とリモコンのブロック図である。図中１はエアコンの室内機本体であり、本体制御用マイコン１ａ、本体信号送信用発光素子１ｂ、本体信号受信用受光素子１ｃを有している。
【００２１】
また２はリモコン本体であり、リモコン制御用マイコン２ａ、リモコン信号送信用発光素子２ｂ、リモコン信号受信用受光素子２ｃを有している。
【００２２】
図中３はリモコン制御用マイコン２ａの指示によりリモコン信号送信用発光素子２ｂから送信される信号である。
【００２３】
また、４は本体制御用マイコン１ａの指示により本体信号送信用発光素子１ｂから送信する信号である。また、本体制御用マイコン１ａにリモコン信号送信用発光素子２ｂから本体信号受信用受光素子１ｃに発せられた信号３を受信してからの時間を計測するタイマ７を設けている。
【００２４】
さらに図２のフローチャートを交えて説明する。上記構成において、例えば現在室内温度や外気温度等の情報を要求するリモコン信号送信用発光素子２ｂから発せられた信号３を、本体制御用マイコン１ａにて本体信号受信用受光素子１ｃで受信したかを判定する（ステップ５）。
【００２５】
Ｙｅｓの場合、タイマ７が一定時間待機したかを判定する（ステップ８）。Ｙｅｓの場合、本体信号送信用発光素子１ｂから、リモコンから要求された室内温度や外気温度等の信号４の送信処理（ステップ６）を開始する。
【００２６】
図２の５の判定がＮｏのときは信号４の送信開始処理（ステップ６）を実行せず、ステップ８の判定がＮｏときは信号４の送信処理６を一定時間待機するまでは開始しない。
【００２７】
上記手段を用いることでリモコン２から送信される信号３の送信完了と本体１から送信される信号４の送信開始との間隔に時間差が生じ、リモコン２から本体１へ送信される信号３と本体１からリモコン２へ送信する信号４の混信を防止でき、リモコン２に正常な信号４を受信させることができる。
【００２８】
さらにリモコン２においてはリモコン信号送信用発光素子２ｂより信号３を送信した後、本体１が信号４の送信を一定時間待機した後開始するため、信号３の送信時に低下したリモコン２の電源電圧が回復するまでの時間が生じ、リモコン信号受信用受光素子２ｃに充分な電源電圧が供給されるため、リモコン２の受信性能を高めることができるので、広範囲で使用することが可能となる。
【００２９】
【発明の効果】
以上の説明から明らかなように本発明は、本体制御用マイコンにリモコン信号送信用発光素子から送信された信号を受信後一定時間待機した後、本体信号送信用発光素子から信号の送信を開始することにより、リモコン信号送信用発光素子から本体信号受信用受光素子に送信する信号の送信完了と、本体信号送信用発光素子からリモコン信号受信用受光素子に送信する信号の送信開始との間隔に時間差を生じさせることができるので、リモコンから送信される信号と室内機本体から送信する信号の混信を防止することができる。
【００３０】
さらに、本願の他の発明によれば、本体制御用マイコンにリモコン信号送信用発光素子からの信号を受信後一定時間待機するので、リモコンの信号の送信時に低下する電源電圧を回復させ、リモコンの受信範囲を広範囲にすることができる。
【図面の簡単な説明】
【図１】本発明の実施の形態を示す空気調和機のブロック図
【図２】本発明の実施の形態を示す室内機制御用マイコンのフローチャート
【図３】従来の空気調和機のブロック図
【図４】従来の室内機制御用マイコンのフローチャート
【符号の説明】
１  室内機本体
１ａ  本体制御用マイコン
１ｂ  本体信号送信用発光素子
１ｃ  本体信号受信用受光素子
２  リモコン
２ａ  リモコン制御用マイコン
２ｂ  リモコン信号送信用発光素子
２ｃリモコン信号受信用受光素子
３  リモコンから本体へ送信された信号
４  本体からリモコンへ送信する信号
７  タイマ
【図１】
0003835149.tif 000002
【図２】
0003835149.tif 000003
【図３】
0003835149.tif 000004
【図４】
0003835149.tif 000005